(57)【要約】【課題】ネットワークを介して正式に購入したデータやデジタルコンテンツをユーザのパーソナルコンピューター等の通信端末に一時保存し、不正コピー防止のための情報やディスク識別のための付加情報をラベル面に記録または印刷し、その付加情報と正式に購入したデータやデジタルコンテンツとの１対１の関係で認証が成立した場合にのみ、書き込み可能な光ディスクへの書き込みを許可され、製品版ディスクとしてライセンスされること。【解決手段】コンテンツデータ、可視的に表現される画像情報を含むメタ情報、及びライセンス認識コードを配信するデータ配信装置１０と、データ配信装置１０とインターネットなどの通信回線１１を介して接続され、データ配信装置１０から配信されたメタ情報及びライセンス認識コードを光ディスク１２のラベル面に書き込み、データ配信装置１０から配信されたコンテンツデータを光ディスク１２の記録面に書き込むユーザ端末装置２０からなるライセンス管理システム。【選択図】        図１
2005353196.tif 000002
【特許請求の範囲】
【請求項１】
コンテンツデータ、可視的に表現される画像情報を含むメタ情報、及びライセンス認識コードを配信するデータ配信装置と、前記データ配信装置とインターネットを介して接続され、前記データ配信装置から配信された前記メタ情報及び前記ライセンス認識コードを光ディスクのラベル面に書き込み、前記データ配信装置から配信された前記コンテンツデータを前記光ディスクの記録面に書き込むユーザ端末装置からなるライセンス管理システムにおいて、
前記ユーザ端末装置は、
前記データ配信装置から配信された前記コンテンツデータに関する前記ライセンス認識コードを格納する第１の記憶手段と、
前記コンテンツデータに関する前記メタ情報を格納する第２の記憶手段と、
前記コンテンツデータを格納する第３の記憶手段と、
前記第１の記憶手段に格納した前記ライセンス認識コードを前記光ディスクの前記ラベル面に書き込む光ディスク書き込み手段と、
前記光ディスクの前記ラベル面に書き込まれた前記ライセンス認識コードを読み出す光ディスク読み出し手段と、
前記光ディスク読み出し手段で読み出した前記ライセンス認識コードを格納する第４の記憶手段と、
前記第１の記憶手段に格納した前記ライセンス認識コードと前記第４の記憶手段に格納した前記ライセンス認識コードとを比較するライセンス認識コード比較手段と、
前記ライセンス認識コード比較手段においてコードが一致した場合は、前記第３の記憶手段に格納した前記コンテンツデータを前記光ディスクの記録面に書き込む光ディスク書き込み手段と、
を備えたことを特徴とするライセンス管理システム。
【請求項２】
コンテンツデータ、可視的に表現される画像情報を含むメタ情報、及びライセンス認識コードを配信するデータ配信装置と、前記データ配信装置とインターネットを介して接続され、前記データ配信装置から配信された前記メタ情報及び前記ライセンス認識コードを光ディスクのラベル面に書き込み、前記データ配信装置から配信された前記コンテンツデータを前記光ディスクの記録面に書き込むユーザ端末装置からなるライセンス管理システムにおいて、
前記ユーザ端末装置は、
前記データ配信装置から配信された前記コンテンツデータに関する前記ライセンス認識コードを格納する第１の記憶手段と、
前記コンテンツデータに関する前記メタ情報を格納する第２の記憶手段と、
前記コンテンツデータを格納する第３の記憶手段と、
前記第１の記憶手段に格納した前記ライセンス認識コードを前記光ディスクの前記ラベル面に書き込むことを光ディスク書き込み手段に指示する手段と、
前記光ディスクの前記ラベル面に書き込まれた前記ライセンス認識コードを読み出すことを光ディスク読み出し手段に指示する手段と、
前記光ディスク読み出し手段で読み出した前記ライセンス認識コードを格納する第４の記憶手段と、
前記第１の記憶手段に格納した前記ライセンス認識コードと前記第４の記憶手段に格納した前記ライセンス認識コードとを比較するライセンス認識コード比較手段と、
前記ライセンス認識コード比較手段においてコードが一致した場合は、前記第３の記憶手段に格納した前記コンテンツデータを前記光ディスクの記録面に書き込むことを光ディスク書き込み手段に指示する手段と、
を備えたことを特徴とするライセンス管理システム。
【請求項３】
前記ユーザ端末装置が表示装置を備えていることを特徴とする請求項１又は請求項２に記載のライセンス管理システム。
【請求項４】
前記光ディスクのラベル面には、レーザー光の温度によって破壊が発生して着色するマイクロカプセルを塗布していることを特徴とする請求項１又は請求項２に記載のライセンス管理システム。
【請求項５】
前記光ディスクのラベル面に書き込みを行う場合には、前記光ディスク書き込み手段におけるレーザーピックアップの焦点深度を前記光ディスクの表面としてフォーカス合わせをすることを特徴とする請求項１又は請求項２に記載のライセンス管理システム。
【請求項６】
前記第２の記憶手段に格納されているメタ情報を、前記光ディスクのラベル面に書き込むことを特徴とする請求項１又は請求項２に記載のライセンス管理システム。
【請求項７】
前記第１の記憶手段に格納するライセンス識別コードが暗号化されており、前記第１の記憶手段に格納した前記ライセンス認識コードを復号化して格納する第５の記憶手段を備え、前記ライセンス認識コード比較手段においては、前記第５の記憶手段に格納した前記ライセンス認識コードと前記第４の記憶手段に格納した前記ライセンス認識コードとを比較することを特徴とする請求項１又は請求項２に記載のライセンス管理システム。
【請求項８】
前記光ディスクの前記ラベル面に書き込むライセンス識別コードが暗号化されており、前記第４の記憶手段では、前記光ディスク読み出し手段で読み出した前記ライセンス認識コードを復号化して格納することを特徴とする請求項１又は請求項２に記載のライセンス管理システム。
【請求項９】
コンテンツデータ、可視的に表現される画像情報を含むメタ情報、及びライセンス認識コードを配信するデータ配信装置と、前記データ配信装置とインターネットを介して接続され、前記データ配信装置から配信された前記メタ情報及び前記ライセンス認識コードを光ディスクのラベル面に書き込み、前記データ配信装置から配信された前記コンテンツデータを前記光ディスクの記録面に書き込むユーザ端末装置とを備え、
前記ユーザ端末装置は、
前記データ配信装置から配信された前記コンテンツデータに関する前記ライセンス認識コードを格納する第１の記憶手段と、
前記コンテンツデータに関する前記メタ情報を格納する第２の記憶手段と、
前記コンテンツデータを格納する第３の記憶手段と、
前記光ディスクにデータを書き込む光ディスク書き込み手段と、
前記光ディスクに書き込まれたデータを読み出す光ディスク読み出し手段と、
前記第１の記憶手段、前記第２の記憶手段、及び前記第３の記憶手段からデータを読み出し、前記光ディスク書き込み手段及び前記光ディスク読み出し手段に指示を行う処理手段とを有するライセンス管理方法において、
前記処理手段では、
前記第１の記憶手段に格納した前記ライセンス認識コードを前記光ディスクの前記ラベル面に書き込むステップと、
前記光ディスクの前記ラベル面に書き込まれた前記ライセンス認識コードを読み出すステップと、
前記光ディスク読み出し手段で読み出した前記ライセンス認識コードを第４の記憶手段に格納するステップと、
前記第１の記憶手段に格納した前記ライセンス認識コードと前記第４の記憶手段に格納した前記ライセンス認識コードとをライセンス認識コード比較手段において比較するステップと、
前記ライセンス認識コード比較手段においてコードが一致した場合は、前記第３の記憶手段に格納した前記コンテンツデータを前記光ディスクの記録面に書き込むステップと、
を有することを特徴とするライセンス管理方法。
【請求項１０】
コンテンツデータ、可視的に表現される画像情報を含むメタ情報、及びライセンス認識コードを配信するデータ配信装置と、前記データ配信装置とインターネットを介して接続され、前記データ配信装置から配信された前記メタ情報及び前記ライセンス認識コードを光ディスクのラベル面に書き込み、前記データ配信装置から配信された前記コンテンツデータを前記光ディスクの記録面に書き込むユーザ端末装置とを備え、
前記ユーザ端末装置は、
前記データ配信装置から配信された前記コンテンツデータに関する前記ライセンス認識コードを格納する第１の記憶手段と、
前記コンテンツデータに関する前記メタ情報を格納する第２の記憶手段と、
前記コンテンツデータを格納する第３の記憶手段と、
前記光ディスクにデータを書き込む光ディスク書き込み手段と、
前記光ディスクに書き込まれたデータを読み出す光ディスク読み出し手段と、
前記第１の記憶手段、前記第２の記憶手段、及び前記第３の記憶手段からデータを読み出し、前記光ディスク書き込み手段及び前記光ディスク読み出し手段に指示を行う処理手段とを有するライセンス管理方法において、
前記処理手段では、
前記光ディスクのラベル面が正常にセットされたことを検出するステップと、
前記光ディスクのラベル面が正常にセットされている場合には、前記第１の記憶手段に格納した前記ライセンス認識コードを前記光ディスクの前記ラベル面に書き込むステップと、
前記光ディスクの前記ラベル面に書き込まれた前記ライセンス認識コードを読み出すステップと、
前記光ディスク読み出し手段で読み出した前記ライセンス認識コードを第４の記憶手段に格納するステップと、
前記光ディスクの記録面が正常にセットされたことを検出するステップと、
前記光ディスクの記録面が正常にセットされている場合には、前記第１の記憶手段に格納した前記ライセンス認識コードと前記第４の記憶手段に格納した前記ライセンス認識コードとをライセンス認識コード比較手段において比較するステップと、
前記ライセンス認識コード比較手段においてコードが一致した場合は、前記第３の記憶手段に格納した前記コンテンツデータを前記光ディスクの記録面に書き込むステップと、
を有することを特徴とするライセンス管理方法。
【請求項１１】
前記コンテンツデータを前記光ディスクの記録面に書き込むより前に、前記ライセンス識別コードを書き込み回数に応じて順次更新し、前記ライセンスコードに予め定められた回数分だけ書き込みが許可されることを特徴とする請求項９又は請求項１０に記載のライセンス管理方法。
【請求項１２】
ディスク書き込みソフトを予め配信し、前記ディスク書き込みソフトを用いて前記光ディスクのラベル面と記録面への書き込みを行うことを特徴とする請求項９又は請求項１０に記載のライセンス管理方法。
【発明の詳細な説明】
【技術分野】
【０００１】
本発明は、ネットワーク接続（主にはインターネット接続）されたユーザ端末において、ユーザがネットワークを介して正式購入したデータ、特に、ゲームソフトを含むコンピュータアプリケーションソフトウェアや、ビデオ、アニメーション、コンピュータグラフィック、モーションキャプチャ等のデジタルデータや、電子スチル写真等のデジタル静止画や、電子音楽、ＭＩＤＩ等のデジタルデータ等のデジタルコンテンツに対して、知的財産や、使用条件等を規定したライセンス使用条件書に基づいて、デジタルコンテンツのＣＤ−Ｒ、ＣＤ−Ｒ／Ｗ、ＤＶＤ−Ｒ、ＤＶＤ−Ｒ／Ｗ、ＤＶＤ＋Ｒ、ＤＶＤ＋Ｒ／Ｗ、ＤＶＤ−ＲＡＭ等の書き込み可能な光ディスクへの書き込みを許可するか否かを実現するためのライセンス管理システム及びライセンス管理方法に関する。
【背景技術】
【０００２】
従来技術においては、ソフトウェアの各種不正コピー防止方法が提案されているが、ソフトウェアの不正コピーは依然発生しており、ハッカー等の手によれば、どこかに抜け道があるために、完全にプロテクトできていないのが現状である。
また近年パソコンのオペレーションシステム上で動作するアプリケーションソフトウェアや、音楽ＣＤのオーディオトラックデータ、ゲームプログラム、一般データ等は、インターネットを介して容易に伝送されており、正式な販売方法として現在のブロードバンド化されたインターネット環境が利用されている。
しかし、このインターネット上で取り引きされているデータは、必ずしも正式な購入あるいはライセンス目的で流通しているものではない。
ディスクイメージとして流通し、ディスクライティングソフトを利用して容易にオリジナルと同様のディスクが作成されたり、ＭＰ３（ＭＰＥＧ１レイヤー３）等を代表とする圧縮された形式の音楽データをディスクライティングソフトを利用して、多少の音質劣化はあるがオリジナル音楽ＣＤと同様の構成のディスクが作成されたりしている。また、ゲームプログラムやデータ集も同様に不正流通し、オリジナルディスクと同様か酷似した形式で複製されている。
このような現状では、完全なソフトウェアの複写防止方法を考えなければ、著作権はあってなきが如き存在となりかねない。このために、ソフトウェア業界に与える被害は甚大なものとなっている。
従来の不正コピー防止方式として、以下の方式がある。
第１の方式は、プロダクトＩＤによる方法である。これは、ＣＤ−ＲＯＭの裏側に媒体１枚に対してユニークなプロダクトＩＤが記録されており、そのプロダクトＩＤを正しく入力することでインストールされる。通常インターネットを介したコンテンツの販売形態では、コンテンツをダウンロード後に、電子メール等でプロダクトＩＤの通知が送られてくる。しかし、ＣＤ−ＲＯＭを不正にコピーしてプロダクトＩＤを人間が覚え、更に異なる場所へ告知することにより、インターネットを介して作成されたＣＲ−ＲＯＭをインストールすると、不正にコピーしたＣＤ−ＲＯＭであるにもかかわらず、プロダクトＩＤのガードができずにインストールができる。
第２の方式は、ＣＤ−ＲＯＭ内に特別な隠しファイル等を設けてガードする方法である。これは、ＣＤ−ＲＯＭの中には、一般の人には見えないように隠しファイルがあり、そこに属性が記録されていて、コピー禁止（ハイド‘Ｈ’）となっている。そしてこのハイド‘Ｈ’をアーカイブ‘Ａ’（通常ファイル）に変換することにより、コピーした後に、再度、‘Ａ’から‘Ｈ’に変換して戻してしまう。しかし、ファイル内の隠しファイルの存在に気が付けば容易にガードを解くことができる。
第３の方式は、例えば特許文献１のように、ライセンス管理センタにおいて、記憶媒体ＩＤ及びコンテンツＩＤからなる第２の管理データを記憶媒体に記憶させて、ユーザに配布しておき、ユーザ端末は記憶媒体入力装置に記憶媒体を挿入すると共に、通信ネットワークを介して、ライセンス管理センタにアクセスして、Ｐａｙ  ｐｅｒ  ｕｓｅ形式のライセンス使用条件を含む管理データを取得して、第１の管理データとしてライセンス使用条件書中に格納しておき、ユーザ端末とライセンス管理センタとの通信が不可状態となった場合には、ライセンス使用条件書中の第１の管理データと記憶媒体中の第２の管理データ及びパスワードとを照合・認証し、認証された場合にはデジタルコンテンツの継続使用を可能とする不正コピー物の使用制限方法がある。しかし、本方式は通信ネットワーク（インターネット）接続されていることが前提であり、必ずしもネットワーク環境での使用を強いられないパソコンソフトの使用や、映像および音楽鑑賞には不向きである。
このように、従来のソフトウェアのコピー防止方法は、プロテクトが完全ではなく、実使用における利便性をさらに追求しかつ完全な防止方法の提案が望まれる。
【特許文献１】特開２０００−９０１４８号公報
【発明の開示】
【発明が解決しようとする課題】
【０００３】
前述のように、従来のコピー防止方法では効果は極めて低く、法的なガードに頼らざるを得ないのが現状である。また、ネットワーク接続環境下での認証システムは利便性を損なう場合がある。
【０００４】
そこで、本発明の目的は、このような従来の問題を解決し、ネットワークを介して正式に購入したデータやデジタルコンテンツをユーザのパーソナルコンピューター等の通信端末に一時保存し、不正コピー防止のための情報やディスク識別のための付加情報をラベル面に記録または印刷し、その付加情報と正式に購入したデータやデジタルコンテンツとの１対１の関係で認証が成立した場合にのみ、ＣＤ−Ｒ、ＣＤ−Ｒ／Ｗ、ＤＶＤ−Ｒ、ＤＶＤ−Ｒ／Ｗ、ＤＶＤ＋Ｒ、ＤＶＤ＋Ｒ／Ｗ、ＤＶＤ−ＲＡＭ等の書き込み可能な光ディスクへの書き込みを許可され、製品版ディスクとしてライセンスされることにある。更に本方式で作成したディスクは、付加情報に予め定められた回数分だけ複製が許可されることで、ソフトウェアの著作権保護を実現し、ソフトウェア業界に与える被害を防止するライセンス管理システムと管理方法を提供することにある。
【課題を解決するための手段】
【０００５】
請求項１記載の本発明のライセンス管理システムは、コンテンツデータ、可視的に表現される画像情報を含むメタ情報、及びライセンス認識コードを配信するデータ配信装置と、前記データ配信装置とインターネットを介して接続され、前記データ配信装置から配信された前記メタ情報及び前記ライセンス認識コードを光ディスクのラベル面に書き込み、前記データ配信装置から配信された前記コンテンツデータを前記光ディスクの記録面に書き込むユーザ端末装置からなるライセンス管理システムにおいて、前記ユーザ端末装置は、前記データ配信装置から配信された前記コンテンツデータに関する前記ライセンス認識コードを格納する第１の記憶手段と、前記コンテンツデータに関する前記メタ情報を格納する第２の記憶手段と、前記コンテンツデータを格納する第３の記憶手段と、前記第１の記憶手段に格納した前記ライセンス認識コードを前記光ディスクの前記ラベル面に書き込む光ディスク書き込み手段と、前記光ディスクの前記ラベル面に書き込まれた前記ライセンス認識コードを読み出す光ディスク読み出し手段と、前記光ディスク読み出し手段で読み出した前記ライセンス認識コードを格納する第４の記憶手段と、前記第１の記憶手段に格納した前記ライセンス認識コードと前記第４の記憶手段に格納した前記ライセンス認識コードとを比較するライセンス認識コード比較手段と、前記ライセンス認識コード比較手段においてコードが一致した場合は、前記第３の記憶手段に格納した前記コンテンツデータを前記光ディスクの記録面に書き込む光ディスク書き込み手段と、を備えたことを特徴とする。
請求項２記載の本発明のライセンス管理システムは、コンテンツデータ、可視的に表現される画像情報を含むメタ情報、及びライセンス認識コードを配信するデータ配信装置と、前記データ配信装置とインターネットを介して接続され、前記データ配信装置から配信された前記メタ情報及び前記ライセンス認識コードを光ディスクのラベル面に書き込み、前記データ配信装置から配信された前記コンテンツデータを前記光ディスクの記録面に書き込むユーザ端末装置からなるライセンス管理システムにおいて、前記ユーザ端末装置は、前記データ配信装置から配信された前記コンテンツデータに関する前記ライセンス認識コードを格納する第１の記憶手段と、前記コンテンツデータに関する前記メタ情報を格納する第２の記憶手段と、前記コンテンツデータを格納する第３の記憶手段と、前記第１の記憶手段に格納した前記ライセンス認識コードを前記光ディスクの前記ラベル面に書き込むことを光ディスク書き込み手段に指示する手段と、前記光ディスクの前記ラベル面に書き込まれた前記ライセンス認識コードを読み出すことを光ディスク読み出し手段に指示する手段と、前記光ディスク読み出し手段で読み出した前記ライセンス認識コードを格納する第４の記憶手段と、前記第１の記憶手段に格納した前記ライセンス認識コードと前記第４の記憶手段に格納した前記ライセンス認識コードとを比較するライセンス認識コード比較手段と、前記ライセンス認識コード比較手段においてコードが一致した場合は、前記第３の記憶手段に格納した前記コンテンツデータを前記光ディスクの記録面に書き込むことを光ディスク書き込み手段に指示する手段と、を備えたことを特徴とする。
請求項３記載の本発明は、請求項１又は請求項２に記載のライセンス管理システムにおいて、前記ユーザ端末装置が表示装置を備えていることを特徴とする。
請求項４記載の本発明は、請求項１又は請求項２に記載のライセンス管理システムにおいて、前記光ディスクのラベル面には、レーザー光の温度によって破壊が発生して着色するマイクロカプセルを塗布していることを特徴とする。
請求項５記載の本発明は、請求項１又は請求項２に記載のライセンス管理システムにおいて、前記光ディスクのラベル面に書き込みを行う場合には、前記光ディスク書き込み手段におけるレーザーピックアップの焦点深度を前記光ディスクの表面としてフォーカス合わせをすることを特徴とする。
請求項６記載の本発明は、請求項１又は請求項２に記載のライセンス管理システムにおいて、前記第２の記憶手段に格納されているメタ情報を、前記光ディスクのラベル面に書き込むことを特徴とする。
請求項７記載の本発明は、請求項１又は請求項２に記載のライセンス管理システムにおいて、前記第１の記憶手段に格納するライセンス識別コードが暗号化されており、前記第１の記憶手段に格納した前記ライセンス認識コードを復号化して格納する第５の記憶手段を備え、前記ライセンス認識コード比較手段においては、前記第５の記憶手段に格納した前記ライセンス認識コードと前記第４の記憶手段に格納した前記ライセンス認識コードとを比較することを特徴とする。
請求項８記載の本発明は、請求項１又は請求項２に記載のライセンス管理システムにおいて、前記光ディスクの前記ラベル面に書き込むライセンス識別コードが暗号化されており、前記第４の記憶手段では、前記光ディスク読み出し手段で読み出した前記ライセンス認識コードを復号化して格納することを特徴とする。
請求項９記載の本発明のライセンス管理方法は、コンテンツデータ、可視的に表現される画像情報を含むメタ情報、及びライセンス認識コードを配信するデータ配信装置と、前記データ配信装置とインターネットを介して接続され、前記データ配信装置から配信された前記メタ情報及び前記ライセンス認識コードを光ディスクのラベル面に書き込み、前記データ配信装置から配信された前記コンテンツデータを前記光ディスクの記録面に書き込むユーザ端末装置とを備え、前記ユーザ端末装置は、前記データ配信装置から配信された前記コンテンツデータに関する前記ライセンス認識コードを格納する第１の記憶手段と、前記コンテンツデータに関する前記メタ情報を格納する第２の記憶手段と、前記コンテンツデータを格納する第３の記憶手段と、前記光ディスクにデータを書き込む光ディスク書き込み手段と、前記光ディスクに書き込まれたデータを読み出す光ディスク読み出し手段と、前記第１の記憶手段、前記第２の記憶手段、及び前記第３の記憶手段からデータを読み出し、前記光ディスク書き込み手段及び前記光ディスク読み出し手段に指示を行う処理手段とを有するライセンス管理方法において、前記処理手段では、前記第１の記憶手段に格納した前記ライセンス認識コードを前記光ディスクの前記ラベル面に書き込むステップと、前記光ディスクの前記ラベル面に書き込まれた前記ライセンス認識コードを読み出すステップと、前記光ディスク読み出し手段で読み出した前記ライセンス認識コードを第４の記憶手段に格納するステップと、前記第１の記憶手段に格納した前記ライセンス認識コードと前記第４の記憶手段に格納した前記ライセンス認識コードとをライセンス認識コード比較手段において比較するステップと、前記ライセンス認識コード比較手段においてコードが一致した場合は、前記第３の記憶手段に格納した前記コンテンツデータを前記光ディスクの記録面に書き込むステップと、を有することを特徴とする。
請求項１０記載の本発明のライセンス管理方法は、コンテンツデータ、可視的に表現される画像情報を含むメタ情報、及びライセンス認識コードを配信するデータ配信装置と、前記データ配信装置とインターネットを介して接続され、前記データ配信装置から配信された前記メタ情報及び前記ライセンス認識コードを光ディスクのラベル面に書き込み、前記データ配信装置から配信された前記コンテンツデータを前記光ディスクの記録面に書き込むユーザ端末装置とを備え、前記ユーザ端末装置は、前記データ配信装置から配信された前記コンテンツデータに関する前記ライセンス認識コードを格納する第１の記憶手段と、前記コンテンツデータに関する前記メタ情報を格納する第２の記憶手段と、前記コンテンツデータを格納する第３の記憶手段と、前記光ディスクにデータを書き込む光ディスク書き込み手段と、前記光ディスクに書き込まれたデータを読み出す光ディスク読み出し手段と、前記第１の記憶手段、前記第２の記憶手段、及び前記第３の記憶手段からデータを読み出し、前記光ディスク書き込み手段及び前記光ディスク読み出し手段に指示を行う処理手段とを有するライセンス管理方法において、前記処理手段では、前記光ディスクのラベル面が正常にセットされたことを検出するステップと、前記光ディスクのラベル面が正常にセットされている場合には、前記第１の記憶手段に格納した前記ライセンス認識コードを前記光ディスクの前記ラベル面に書き込むステップと、前記光ディスクの前記ラベル面に書き込まれた前記ライセンス認識コードを読み出すステップと、前記光ディスク読み出し手段で読み出した前記ライセンス認識コードを第４の記憶手段に格納するステップと、前記光ディスクの記録面が正常にセットされたことを検出するステップと、前記光ディスクの記録面が正常にセットされている場合には、前記第１の記憶手段に格納した前記ライセンス認識コードと前記第４の記憶手段に格納した前記ライセンス認識コードとをライセンス認識コード比較手段において比較するステップと、前記ライセンス認識コード比較手段においてコードが一致した場合は、前記第３の記憶手段に格納した前記コンテンツデータを前記光ディスクの記録面に書き込むステップと、を有することを特徴とする。
請求項１１記載の本発明は、請求項９又は請求項１０に記載のライセンス管理方法において、前記コンテンツデータを前記光ディスクの記録面に書き込むより前に、前記ライセンス識別コードを書き込み回数に応じて順次更新し、前記ライセンスコードに予め定められた回数分だけ書き込みが許可されることを特徴とする。
請求項１２記載の本発明は、請求項９又は請求項１０に記載のライセンス管理方法において、ディスク書き込みソフトを予め配信し、前記ディスク書き込みソフトを用いて前記光ディスクのラベル面と記録面への書き込みを行うことを特徴とする。
【発明の効果】
【０００６】
本発明によれば、ダウンロードされたデジタルコンテンツデータの不正な複写を防止することができるとともに、ユーザの操作負担を軽減することができる。
【発明を実施するための最良の形態】
【０００７】
本発明の第１の実施の形態によるライセンス管理システムは、データ配信装置から配信されたコンテンツデータに関するライセンス認識コードを格納する第１の記憶手段と、コンテンツデータに関するメタ情報を格納する第２の記憶手段と、コンテンツデータを格納する第３の記憶手段と、第１の記憶手段に格納したライセンス認識コードを光ディスクのラベル面に書き込む光ディスク書き込み手段と、光ディスクのラベル面に書き込まれたライセンス認識コードを読み出す光ディスク読み出し手段と、光ディスク読み出し手段で読み出したライセンス認識コードを格納する第４の記憶手段と、第１の記憶手段に格納したライセンス認識コードと第４の記憶手段に格納したライセンス認識コードとを比較するライセンス認識コード比較手段と、ライセンス認識コード比較手段においてコードが一致した場合は、第３の記憶手段に格納したコンテンツデータを光ディスクの記録面に書き込む光ディスク書き込み手段とを備えたものである。本実施の形態によれば、第１の記憶手段に格納したライセンス認識コードと、光ディスクのラベル面に書き込まれた後に読み出して第４の記憶手段に格納したライセンス認識コードとを比較することでライセンス認証を行うために、不正な複写を防止することができるとともに、ユーザの操作負担を軽減できる。
本発明の第２の実施の形態によるライセンス管理システムは、データ配信装置から配信されたコンテンツデータに関するライセンス認識コードを格納する第１の記憶手段と、コンテンツデータに関するメタ情報を格納する第２の記憶手段と、コンテンツデータを格納する第３の記憶手段と、第１の記憶手段に格納したライセンス認識コードを光ディスクのラベル面に書き込むことを光ディスク書き込み手段に指示する手段と、光ディスクのラベル面に書き込まれたライセンス認識コードを読み出すことを光ディスク読み出し手段に指示する手段と、光ディスク読み出し手段で読み出したライセンス認識コードを格納する第４の記憶手段と、第１の記憶手段に格納したライセンス認識コードと第４の記憶手段に格納したライセンス認識コードとを比較するライセンス認識コード比較手段と、ライセンス認識コード比較手段においてコードが一致した場合は、第３の記憶手段に格納したコンテンツデータを光ディスクの記録面に書き込むことを光ディスク書き込み手段に指示する手段とを備えたものである。本実施の形態によれば、光ディスク書き込み手段や光ディスク読み出し手段をユーザ端末装置が備えてなく、これらの手段を備えた、いわゆる外付けの記録再生装置を用いる場合であっても、第１の記憶手段に格納したライセンス認識コードと、光ディスクのラベル面に書き込まれた後に読み出して第４の記憶手段に格納したライセンス認識コードとを比較することでライセンス認証を行うために、不正な複写を防止することができるとともに、ユーザの操作負担を軽減できる。
本発明の第３の実施の形態は、第１又は第２の実施の形態によるライセンス管理システムにおいて、ユーザ端末装置が表示装置を備えたものであり、ユーザの操作利便を高めることができる。
本発明の第４の実施の形態は、第１又は第２の実施の形態によるライセンス管理システムにおいて、光ディスクのラベル面には、レーザー光の温度によって破壊が発生して着色するマイクロカプセルを塗布している。このようなマイクロカプセルが塗布されていることで、記録面への記録再生に用いるレーザー光を利用して画像情報を可視的に表現することができる。
本発明の第５の実施の形態は、第１又は第２の実施の形態によるライセンス管理システムにおいて、光ディスクのラベル面に書き込みを行う場合には、光ディスク書き込み手段におけるレーザーピックアップの焦点深度を光ディスクの表面としてフォーカス合わせをする。本実施例によれば、光ディスクのラベル面に画像情報を表示することができる。
本発明の第６の実施の形態は、第１又は第２の実施の形態によるライセンス管理システムにおいて、第２の記憶手段に格納されているメタ情報を、光ディスクのラベル面に書き込むものである。本実施例によれば、光ディスクのラベル面に画像情報を表示することができる。
本発明の第７の実施の形態は、第１又は第２の実施の形態によるライセンス管理システムにおいて、第１の記憶手段に格納するライセンス識別コードが暗号化されており、第１の記憶手段に格納したライセンス認識コードを復号化して格納する第５の記憶手段を備え、ライセンス認識コード比較手段においては、第５の記憶手段に格納したライセンス認識コードと第４の記憶手段に格納したライセンス認識コードとを比較するものである。本実施例によれば、セキュリティーを高めることができる。
本発明の第８の実施の形態は、第１又は第２の実施の形態によるライセンス管理システムにおいて、光ディスクのラベル面に書き込むライセンス識別コードが暗号化されており、第４の記憶手段では、光ディスク読み出し手段で読み出したライセンス認識コードを復号化して格納するものである。本実施例によれば、更にセキュリティーを高めることができる。
本発明の第９の実施の形態によるライセンス管理方法は、第１の記憶手段に格納したライセンス認識コードを光ディスクのラベル面に書き込むステップと、光ディスクのラベル面に書き込まれたライセンス認識コードを読み出すステップと、光ディスク読み出し手段で読み出したライセンス認識コードを第４の記憶手段に格納するステップと、第１の記憶手段に格納したライセンス認識コードと第４の記憶手段に格納したライセンス認識コードとをライセンス認識コード比較手段において比較するステップと、ライセンス認識コード比較手段においてコードが一致した場合は、第３の記憶手段に格納したコンテンツデータを光ディスクの記録面に書き込むステップとを有するものである。本実施の形態によれば、第１の記憶手段に格納したライセンス認識コードと、光ディスクのラベル面に書き込まれた後に読み出して第４の記憶手段に格納したライセンス認識コードとを比較することでライセンス認証を行うために、不正な複写を防止することができるとともに、ユーザの操作負担を軽減できる。
本発明の第１０の実施の形態によるライセンス管理方法は、光ディスクのラベル面が正常にセットされたことを検出するステップと、光ディスクのラベル面が正常にセットされている場合には、第１の記憶手段に格納したライセンス認識コードを光ディスクのラベル面に書き込むステップと、光ディスクのラベル面に書き込まれたライセンス認識コードを読み出すステップと、光ディスク読み出し手段で読み出したライセンス認識コードを第４の記憶手段に格納するステップと、光ディスクの記録面が正常にセットされたことを検出するステップと、光ディスクの記録面が正常にセットされている場合には、第１の記憶手段に格納したライセンス認識コードと第４の記憶手段に格納したライセンス認識コードとをライセンス認識コード比較手段において比較するステップと、ライセンス認識コード比較手段においてコードが一致した場合は、第３の記憶手段に格納したコンテンツデータを光ディスクの記録面に書き込むステップとを有するものである。本実施の形態によれば、第１の記憶手段に格納したライセンス認識コードと、光ディスクのラベル面に書き込まれた後に読み出して第４の記憶手段に格納したライセンス認識コードとを比較することでライセンス認証を行うために、不正な複写を防止することができるとともに、ユーザの操作負担を軽減できる。
本発明の第１１の実施の形態は、第９又は第１０の実施の形態によるライセンス管理方法において、コンテンツデータを光ディスクの記録面に書き込むより前に、ライセンス識別コードを書き込み回数に応じて順次更新し、ライセンスコードに予め定められた回数分だけ書き込みが許可されるものである。本実施の形態によれば、複数ライセンスの提供を一度の配信で可能にできる。
本発明の第１２の実施の形態は、第９又は第１０の実施の形態によるライセンス管理方法において、ディスク書き込みソフトを予め配信し、このディスク書き込みソフトを用いて光ディスクのラベル面と記録面への書き込みを行うものである。本実施の形態によれば、コンテンツ購入者に専用のディスク書き込みソフトを使用させて光ディスクのラベル面と記録面への書き込みを行わせることで、更なる不正コピーを防止することができるとともに、操作を容易にすることができる。
【実施例１】
【０００８】
本発明のライセンス管理システムの一実施例について図面を参照しながら説明する。図１は、本実施例のライセンス管理システムを機能実現手段で表したブロック図、図２及び図３は、同実施例のライセンス管理システムの流れを表したフローチャート、図４は同実施例により表示された光ディスクのラベル面を示す構成図である。
【０００９】
まず、本実施例のライセンス管理システムを実現するために必要な機能について説明する。
本実施例のライセンス管理システムは、コンテンツデータ、可視的に表現される画像情報を含むメタ情報、及びライセンス認識コードを配信するデータ配信装置１０と、このデータ配信装置１０とインターネットなどの通信回線１１を介して接続され、データ配信装置１０から配信されたメタ情報及びライセンス認識コードを光ディスク１２のラベル面に書き込み、データ配信装置１０から配信された前記コンテンツデータを前記光ディスク１２の記録面に書き込むユーザ端末装置２０からなる。
ここで、データ配信装置１０から配信されるコンテンツデータとは、特に、ゲームソフトを含むコンピュータアプリケーションソフトウェア、又は映画を含むビデオ、アニメーション、コンピュータグラフィック、及びモーションキャプチャ等のデジタルデータ、電子スチル写真等のデジタル静止画像データ、電子音楽、ＭＩＤＩ等のデジタルデータである。また、データ配信装置１０から配信されるメタ情報とは、配信されるコンテンツデータに関する、タイトル、作者、著作権者、二次著作権者、出版社、概要、又は作品やプログラムの内容をビジュアルに表現する画像情報である。データ配信装置１０から配信されるライセンス認識コードは、１次元及び２次元バーコード、又はコンテンツ配信者の提供するライターソフトに対応した、コンテンツ配信者固有の暗号化方式でスクランブルされたイメージまたはキャラクタ群のように、暗号化されたライセンス認識コードが好ましい。
光ディスク１２とは、ＣＤ−Ｒ、ＣＤ−Ｒ／Ｗ、ＤＶＤ−Ｒ、ＤＶＤ−Ｒ／Ｗ、ＤＶＤ＋Ｒ、ＤＶＤ＋Ｒ／Ｗ、又はＤＶＤ−ＲＡＭ等の媒体を意味し、光ディスク１２のラベル面は、書き込み可能な光ディスク媒体における、コンテンツデータを記録する面とは別の面、例えば記録面と反対側の面に形成される。
【００１０】
ユーザ端末装置２０は、データ配信装置１０とデータの送受信を行う送受信手段２１と、この送受信手段２１で受信した情報を記憶する記憶手段２２と、光ディスク１２への書き込みや光ディスク１２からの読み出しを行う記録再生装置３０と、記憶手段２２からデータを読み出し、記録再生装置３０に指示を行う処理手段２３とを備えている。ここで、記録再生装置３０は、ユーザ端末装置２０に備えてなく、いわゆる外付けの記録再生装置であってもよい。
記憶手段２２は、送受信手段２１で受信したコンテンツデータに関するライセンス認識コードを格納する第１の記憶手段２４と、コンテンツデータに関するメタ情報を格納する第２の記憶手段２５と、コンテンツデータを格納する第３の記憶手段２６とを有している。なお、これら第１の記憶手段２４と、第２の記憶手段２５と、第３の記憶手段２６は、ハードウエア的に別の記憶手段である必要はない。
記録再生装置３０は、光ディスク１２のラベル面や記録面にデータを書き込む光ディスク書き込み手段３１、光ディスク１２のラベル面や記録面に書き込まれたデータを読み出す光ディスク読み出し手段３２、及び光ディスク１２を回転駆動させる光ディスク駆動手段３３を備えている。なお、本実施例では、光ディスク１２のラベル面への書き込みを行う光ディスク書き込み手段３１と、光ディスク１２の記録面にデータを書き込む光ディスク書き込み手段３１を同一の手段として説明するが、別の手段として構成されてもよい。また同様に、光ディスク１２のラベル面に書き込まれたデータを読み出す光ディスク読み出し手段３２と、光ディスク１２の記録面に書き込まれたデータを読み出す光ディスク読み出し手段３２を同一の手段として説明するが、別の手段として構成されてもよい。
処理手段２３は、第１の記憶手段２４に格納したライセンス認識コードを光ディスク１２のラベル面に書き込むことを光ディスク書き込み手段３１に指示する手段と、光ディスク１２のラベル面に書き込まれたライセンス認識コードを読み出すことを光ディスク読み出し手段３２に指示する手段と、光ディスク読み出し手段３２で読み出したライセンス認識コードを格納する第４の記憶手段２７と、第１の記憶手段２４に格納したライセンス認識コードを読み出して格納する第５の記憶手段２８と、第５の記憶手段２８に格納したライセンス認識コードと第４の記憶手段２７に格納したライセンス認識コードとを比較するライセンス認識コード比較手段２９と、ライセンス認識コード比較手段２９においてコードが一致した場合は、第３の記憶手段２６に格納したコンテンツデータを光ディスク１２の記録面に書き込むことを光ディスク書き込み手段３１に指示する手段とを備えている。なお、本実施例においては、第１の記憶手段２４に格納するライセンス識別コードが暗号化されていることが好ましく、第５の記憶手段２８では、第１の記憶手段２４に格納したライセンス認識コードを復号化して格納する。また、光ディスク１２のラベル面に書き込むライセンス識別コードについても暗号化されていることが好ましく、第４の記憶手段２７では、光ディスク読み出し手段３２で読み出したライセンス認識コードを復号化して格納する。
なお、ユーザ端末装置２０は、データを入力するための入力手段４１、情報を表示する表示手段４２、プリンターなどの出力手段４３を備えている。
【００１１】
次に、本実施例のライセンス管理システムでの処理の流れについて説明する。
まず、ユーザは入力手段４１からデジタルコンテンツの購入希望を入力し（Ｓ１）、この入力データは、送受信手段２１から送信され（Ｓ２）、送信された希望情報は通信回線１１を介してデータ配信装置１０側のシステムによって受信される。データ配信装置１０側のシステムからは、入金指示が送信され（Ｓ３）、このデータは入金指示情報として送受信手段２１が受信する（Ｓ４）。受信情報は、表示手段４２において表示され（Ｓ５）、ユーザは入力手段４１から入金情報を入力する（Ｓ６）。この入金データは、送受信手段２１から送信され（Ｓ７）、送信された入金情報は通信回線１１を介してデータ配信装置１０側のシステムによって受信される。入金情報が確認されると、データ配信装置１０側のシステムからは、ダウンロードの許可情報が送信され（Ｓ８）、このデータは許可情報として送受信手段２１が受信し（Ｓ９）、表示手段４２において表示される（Ｓ１０）。また、データ配信装置１０からはデータが送信され（Ｓ１１）、このデータは記憶手段２２にダウンロードされる（Ｓ１２）。このステップ１２においては、具体的には、コンテンツデータに関するライセンス認識コードを第１の記憶手段２４に格納し、コンテンツデータに関するメタ情報を第２の記憶手段２５に格納し、コンテンツデータを第３の記憶手段２６に格納する。
【００１２】
ユーザ端末装置２０でのダウンロードが完了すると、ユーザは記録再生装置２０に光ディスク１２のラベル面をセットする（Ｓ１３）。光ディスク１２は光ディスク駆動手段３３によってスピンアップされ（Ｓ１４）、光ディスク読み出し手段３２によって光ディスク１２からデータを読み出すことで、光ディスク１２が正常にセットされたか否かを判断し（Ｓ１５）、正常にセットされていない場合には再セットを促し、光ディスク１２のラベル面が正常にセットされている場合には、第２の記憶手段２５に格納したメタ情報を光ディスク１２のラベル面に書き込み（Ｓ１６）、また、第１の記憶手段２４に格納したライセンス認識コードを光ディスク１２のラベル面に書き込み（Ｓ１７）、光ディスク１２のラベル面への書き込みを終了する（Ｓ１８）。そして、光ディスク１２のラベル面に書き込まれたライセンス認識コードを読み出し（Ｓ１９）、光ディスク読み出し手段３２での読み出しが成功か否かを判断し（Ｓ２０）、読み出しが行えないか不一致の場合には続行不可であることを表示手段４２にて表示する（Ｓ２３）。ステップ２０において、光ディスク読み出し手段３２での読み出しが成功である場合には、光ディスク読み出し手段３２で読み出したライセンス認識コードを第４の記憶手段に格納し（Ｓ２１）、表示手段４２によってユーザに光ディスク１２の記録面を記録再生装置３０にセットする指示を表示する（Ｓ２２）。
【００１３】
ユーザは記録再生装置２０に光ディスク１２の記録面をセットする（Ｓ３１）。光ディスク１２は光ディスク駆動手段３３によってスピンアップされ（Ｓ３２）、光ディスク読み出し手段３２によって光ディスク１２からデータを読み出すことで、光ディスク１２が正常にセットされたか否かを判断し（Ｓ３３）、正常にセットされていない場合には再セットを促し、光ディスク１２の記録面が正常にセットされている場合には、第１の記憶手段２４に格納したライセンス認識コードを第５の記憶手段２８に格納し（Ｓ３４）、第５の記憶手段２８に格納したライセンス認識コードと第４の記憶手段２７に格納したライセンス認識コードとをライセンス認識コード比較手段２９において照合し（Ｓ３５）、照合した結果、ライセンス認識コード比較手段２９においてコードが不一致の場合には書き込み不可を表示し（Ｓ４１）、一致した場合は、第３の記憶手段２６に格納したコンテンツデータを光ディスク１２の記録面に書き込み（Ｓ３７）、記録面への書き込みを終了する（Ｓ３８）。そして、書き込みの終了を第１の記憶手段２４に記録し（Ｓ３９）、書き込みの終了を表示手段４２に表示する（Ｓ４０）。
【００１４】
このようにして光ディスク１２のラベル面に記録された状態を図４に示す。
図４に示すように、光ディスク１２のラベル面には、記録面に書き込まれたコンテンツデータに関するタイトル「Ｐａｉｎｔ  Ｓｃｈｏｏｌ  Ｖｅｒｓｉｏｎ３．０」その他のメタ情報が可視的に表示されている。また、ライセンス認識コード５１として、例えば２次元バーコードがラベル面の一部に表示されている。
図５は、同実施例により表示された光ディスクのラベル面を示す他の構成図である。
ライセンス認識コード５２として、例えば１次元バーコードを光ディスク１２の中心孔の周辺に表示している。
なお、上記実施例ではライセンス認識コードを１次元または２次元バーコード説明したが、独自の暗号化ルールをもったライセンス認識コードであってもよい。
また、光ディスク１２として、レーザー光の温度によって破壊が発生して着色するマイクロカプセルをラベル面に塗布したものを用いることで、光ディスク１２の記録面への記録再生に用いるレーザー光を利用して画像情報を可視的に表現することができる。
また、光ディスク１２のラベル面に書き込みを行う場合には、光ディスク書き込み手段３１におけるレーザーピックアップの焦点深度を光ディスク１２の表面としてフォーカス合わせをする。
【００１５】
なお、本実施例においては、コンテンツデータに関するライセンス認識コードと、コンテンツデータに関するメタ情報とを別々の記憶手段２４、２５に格納する場合で説明したが、メタ情報にライセンスコードを埋め込んで配信し、印刷も同時に行う方法でもよく、また、メタ情報は必ずしも印刷しなくてもよい。
また、コンテンツデータを光ディスク１２の記録面に書き込むより前に、ライセンス識別コードを書き込み回数に応じて順次更新し、ライセンスコードに予め定められた回数分だけ書き込みが許可されることが好ましく、複数ライセンスの提供を一度の配信で可能にすることができる。
また、ディスク書き込みソフトを上記実施例におけるステップ１１より前に予め配信し、このディスク書き込みソフトを用いて光ディスク１２のラベル面と記録面への書き込みを行うことが好ましく、コンテンツ購入者に専用のディスク書き込みソフトを使用させて光ディスク１２のラベル面と記録面への書き込みを行わせることで、更なる不正コピーを防止することができるとともに、操作を容易にすることができる。また、専用のディスク書き込みソフトに併せて、専用のコンテンツダウンロード機能を含んだアプリケーションソフトをユーザへ予め提供しておくことで、ユーザの利便性を高め、セキュリティーの強化を図ることができる。
【産業上の利用可能性】
【００１６】
以上のように、本発明は、ネットワーク接続されたユーザ端末において、ユーザがネットワークを介して正式購入したデータ、特に、ゲームソフトを含むコンピュータアプリケーションソフトウェアや、ビデオ、アニメーション、コンピュータグラフィック、モーションキャプチャ等のデジタルデータや、電子スチル写真等のデジタル静止画や、電子音楽、ＭＩＤＩ等のデジタルデータ等のデジタルコンテンツに対して、知的財産や、使用条件等を規定したライセンス使用条件書に基づいて、デジタルコンテンツの光ディスクへの書き込みを許可するか否かを実現するためのライセンス管理システム及びライセンス管理方法に適している。
【図面の簡単な説明】
【００１７】
【図１】本発明の一実施例のライセンス管理システムを機能実現手段で表したブロック図
【図２】同実施例のライセンス管理システムの流れを表したフローチャート
【図３】同実施例のライセンス管理システムの流れを表したフローチャート
【図４】同実施例により表示された光ディスクのラベル面を示す構成図
【図５】同実施例により表示された光ディスクのラベル面を示す他の構成図
【符号の説明】
【００１８】
１０  データ配信装置
１２  光ディスク
２０  ユーザ端末装置
２３  処理手段
２４  第１の記憶手段
２５  第２の記憶手段
２６  第３の記憶手段
２７  第４の記憶手段
２８  第５の記憶手段
２９  ライセンス認識コード比較手段
３０  記録再生装置
３１  光ディスク書き込み手段
３２  光ディスク読み出し手段
【図１】
2005353196.tif 000003
【図２】
2005353196.tif 000004
【図３】
2005353196.tif 000005
【図４】
2005353196.tif 000006
【図５】
2005353196.tif 000007